(57)【要約】【課題】トナーコンテナの交換作業性を向上させることが可能な梱包箱を提供する。【解決手段】梱包箱１は、トナーコンテナ１００を収容する。梱包箱１の外面には、トナーコンテナ１００の交換方法に関する情報を提供するウェブサイトのインターネットアドレスが暗号化された２次元コードからなるコード画像２３が印刷されている。【選択図】図２
2020090294.tif 000002
【特許請求の範囲】
【請求項１】
トナーコンテナを収容する梱包箱であって、
前記梱包箱の外面には、前記トナーコンテナの交換方法に関する情報を提供するウェブサイトのインターネットアドレスが暗号化された２次元コードからなる第１画像が印刷されていることを特徴とする梱包箱。
【請求項２】
前記第１画像は、前記梱包箱の上面に印刷されていることを特徴とする請求項１に記載の梱包箱。
【請求項３】
前記梱包箱の外面には、前記第１画像と前記２次元コード以外の第２画像とが印刷されており、
前記梱包箱の外面は、白色であり、
前記第１画像および前記第２画像は、黒色以外の色に印刷されていることを特徴とする請求項１または２に記載の梱包箱。
【請求項４】
前記梱包箱の外面の日射受熱量の合計に基づいて導出される内部温度が５０℃以下になるように、前記第１画像の面積および色が設定されていることを特徴とする請求項１〜３のいずれか１項に記載の梱包箱。
【発明の詳細な説明】
【技術分野】
【０００１】
本発明は、トナーコンテナを収容する梱包箱に関する。
【背景技術】
【０００２】
従来、画像形成装置に補給するトナーが充填されたトナーコンテナを収容する梱包箱が知られている。梱包箱には、トナーコンテナに関する取扱説明書も収容されている。
【０００３】
画像形成装置のトナーコンテナが空になると、ユーザー等によってトナーコンテナが交換される。このとき、トナーコンテナの交換作業に詳しくないユーザー等は、取扱説明書を見ながらトナーコンテナを交換する。
【０００４】
なお、トナーコンテナを収容する梱包箱は、例えば特許文献１に開示されている。
【先行技術文献】
【特許文献】
【０００５】
【特許文献１】特開２０１６−１８２９８０号公報
【発明の概要】
【発明が解決しようとする課題】
【０００６】
しかしながら、従来の梱包箱では、取扱説明書を折り畳んだ状態で収納するため、取扱説明書に折り目がついてユーザー等が作業内容を確認するのに時間がかかる。また、暗い場所では取扱説明書が読みにくく、取扱説明書を読むのに時間がかかる。以上のように、従来の梱包箱では、トナーコンテナの交換作業性を向上させることは困難である。
【０００７】
本発明は、上記のような課題を解決するためになされたものであり、本発明の目的は、トナーコンテナの交換作業性を向上させることが可能な梱包箱を提供することである。
【課題を解決するための手段】
【０００８】
上記目的を達成するために、本発明の第１の構成の梱包箱は、トナーコンテナを収容する梱包箱であって、梱包箱の外面には、トナーコンテナの交換方法に関する情報を提供するウェブサイトのインターネットアドレスが暗号化された２次元コードからなる第１画像が印刷されている。
【発明の効果】
【０００９】
本発明の第１の構成の梱包箱によれば、梱包箱の外面には、トナーコンテナの交換方法に関する情報を提供するウェブサイトのインターネットアドレスが暗号化された２次元コードからなる第１画像が印刷されている。これにより、携帯端末（スマートフォン、タブレットパソコン等）で第１画像（２次元コード）を読み取ることによって、携帯端末の画面にトナーコンテナの交換方法を表示させることができる。このため、従来のように折り目のついた取扱説明書を読む場合と異なり、トナーコンテナの交換方法を容易に確認することができる。また、暗い場所であっても、トナーコンテナの交換方法を容易に確認することができる。その結果、トナーコンテナの交換作業性を向上させることができる。
【図面の簡単な説明】
【００１０】
【図１】本発明の一実施形態の梱包箱の構造を示す斜視図である。
【図２】本発明の一実施形態の梱包箱の展開図である。
【図３】本発明の一実施形態の梱包箱の熱回路モデルを示す図である。
【発明を実施するための形態】
【００１１】
以下、本発明の実施形態について図面を参照して説明する。
【００１２】
図１は、本発明の一実施形態の梱包箱１の構造を示す斜視図である。図２は、本発明の一実施形態の梱包箱１の展開図である。図１に示すように、梱包箱１は、ダンボールや厚紙などの紙からなり、所定方向に延びる直方体に形成されている。梱包箱１は、画像形成装置に補給するトナーが充填されたトナーコンテナ１００を収容する。
【００１３】
図１および図２に示すように、梱包箱１は、長手方向に延びる上面部２、底面部３、右側面部４および左側面部５と、長手方向両端に設けられた一端面部６および他端面部７と、を備えている。なお、側面部（右側面部４、左側面部５）は、一端面部６から見た状態を基準として右、左と呼称している。また、梱包箱１は、図２に示す一枚のシート材１ａを組み立てることによって形成されている。
【００１４】
図２に示すように、右側面部４、底面部３、左側面部５および上面部２は、折り曲げ線１ｂを介して隣接して配置されている。右側面部４の底面部３とは反対側の端縁（図２の上端縁）には、折り曲げ線１ｂを介して折り曲げ片１１が設けられている。
【００１５】
右側面部４の長手方向の一方端および他方端（図２の左端および右端）には、折り曲げ線１ｃを介して折り曲げ片１２および１３が設けられている。底面部３の長手方向の一方端および他方端には、折り曲げ線１ｃを介して一端面部６および他端面部７が設けられている。左側面部５の長手方向の一方端および他方端には、折り曲げ線１ｃを介して折り曲げ片１４および１５が設けられている。上面部２の長手方向の一方端および他方端には、折り曲げ線１ｃを介して折り曲げ片１６および１７が設けられている。なお、折り曲げ片１２には、係合片１２ａが設けられており、折り曲げ片１４には、係合片１２ａが挿入されるスリット１４ａが設けられている。また、一端面部６には、一対のミシン目によって形成された開封片６ａが設けられている。
【００１６】
梱包箱１を組み立てる場合、シート材１ａを図２に示した状態から各折り曲げ線１ｂで山折りした後、折り曲げ片１１を上面部２に接着する。これにより、長手方向の延びる筒状の部材が形成される。
【００１７】
そして、折り曲げ片１３および１５を折り曲げ線１ｃで山折りした後、折り曲げ片１７を折り曲げ線１ｃで山折りするとともに折り曲げ片１３および１５に接着する。その後、他端面部７を折り曲げ線１ｃで山折りするとともに折り曲げ片１７に接着する。これにより、長手方向の一方端が開放した筒状の部材が形成される。
【００１８】
次に、筒状の部材の内部に長手方向一方端からトナーコンテナ１００（図１参照）を挿入する。そして、折り曲げ片１２および１４を折り曲げ線１ｃで山折りするとともに、折り曲げ片１２の係合片１２ａを折り曲げ片１４のスリット１４ａに挿入する。その後、折り曲げ片１６を折り曲げ線１ｃで山折りした後、一端面部６を折り曲げ線１ｃで山折りするとともに折り曲げ片１６に接着する。このようにして、トナーコンテナ１００を収容した梱包箱１が形成される。
【００１９】
梱包箱１を開封する場合、一端面部６の開封片６ａをミシン目に沿って切り取る。そして、一端面部６および折り曲げ片１６を外側に開いた後、折り曲げ片１２の係合片１２ａを折り曲げ片１４のスリット１４ａから引き抜くとともに、折り曲げ片１２および１４を外側に開く。これにより、トナーコンテナ１００を梱包箱１の長手方向一方側から取り出すことが可能となる。
【００２０】
ここで、図２に示すように、梱包箱１の外面（上面部２、底面部３、右側面部４、左側面部５、一端面部６および他端面部７の外面）には、「ＡＡＡ…」で示すロゴマーク２１（第２画像）と、「ＢＢＢ…」「ＣＣＣ…」「ＤＤＤ…」で示す注意書きや製品型番などの文字列２２（第２画像）と、マトリックス型の２次元コードからなるコード画像２３（第１画像）等と、が印刷されている。なお、図１では、図面簡略化のため、ロゴマーク２１、文字列２２およびコード画像２３等を省略している。
【００２１】
本実施形態では、コード画像２３は、梱包箱１の上面（上面部２）に印刷されている。コード画像２３は、トナーコンテナ１００の交換方法に関する情報を提供するウェブサイトのインターネットアドレスが暗号化された２次元コードからなる。スマートフォン等の携帯端末のカメラを用いてコード画像２３を読み取ることによって、携帯端末の画面にトナーコンテナ１００の交換方法に関する情報が表示される。なお、トナーコンテナ１００の交換方法に関する情報は、説明文や図面であってもよいが、ここでは、トナーコンテナ１００の交換方法を説明する動画である。このため、ユーザー等がトナーコンテナ１００の交換方法を短時間で確認することができる。
【００２２】
ところで、梱包箱１を太陽光が直接当たる場所に放置すると、梱包箱１が太陽光を吸収して梱包箱１の内部温度が上昇し、トナーコンテナ１００内部のトナーが固着する場合がある。
【００２３】
そこで、本実施形態では、梱包箱１の内部温度の上昇を抑制するために、梱包箱１の外面を白色にし、ロゴマーク２１、文字列２２およびコード画像２３等を黒色以外の色に印刷している。具体的には、ロゴマーク２１、文字列２２およびコード画像２３等の各々は、黄色または灰色に印刷されている。なお、少なくともコード画像２３は、灰色に印刷されている。また、コード画像２３は、モニター画面（ディスプレイ）上の濃度（０〜２５５までの２５６階調のグレースケールに基づく濃度）が５０％以上８０％未満になっており、ここでは５０％になっている。黄色および５０％濃度の灰色の太陽光吸収率は、黒色の太陽光吸収率の約半分であるため、梱包箱１の内部温度の上昇を抑制することができる。
【００２４】
また、一般に有色の太陽光吸収率は白色の太陽光吸収率よりも高くなり、白色の太陽光吸収率は、黄色および灰色の太陽光吸収率よりも低いため、ロゴマーク２１、文字列２２およびコード画像２３等の印刷面積を少なくすることによっても、梱包箱１の内部温度の上昇を抑制することができる。
【００２５】
なお、コード画像２３のモニター画面上の濃度を４０％以下にした場合、コード画像２３を携帯端末で正しく読み取ることができない場合もあるが、濃度を５０％以上にすることによって、コード画像２３を携帯端末で確実に正しく読み取ることが可能である。
【００２６】
梱包箱１の内部温度は、ロゴマーク２１、文字列２２およびコード画像２３等の太陽光吸収率および面積率に大きく影響される。このため、上面部２、右側面部４、左側面部５、一端面部６および他端面部７の各面における太陽光吸収率（＝各色の太陽光吸収率×各色の面積率の合計）を０．３３以下に抑えている。なお、上面部２における太陽光吸収率は、他の面における太陽光吸収率に比べて梱包箱１の内部温度に大きく影響するため、上面部２における太陽光吸収率を、他の面における太陽光吸収率よりも小さく設定している。
【００２７】
また、ロゴマーク２１、文字列２２およびコード画像２３等の面積率および色は、後述するように梱包箱１の外面の日射受熱量の合計に基づいて、梱包箱１の内部温度が５０℃以下になるように設定されている。具体的には、表１に示すように、上面部２、右側面部４、左側面部５、一端面部６および他端面部７における各色（黄色、黒色、灰色、白色）の面積率を、それぞれ（１．８％、０．０％、４．８％、９３．３％）、（２．７％、０．０％、１４．５％、８２．８％）、（１５．７％、０．０％、１．５％、８２．８％）、（１１．０％、０．０％、１．５％、８７．４％）、（１１．０％、０．０％、１．５％、８７．４％）に設定している。
【００２８】
【表１】
2020090294.tif 000003
【００２９】
また、ロゴマーク２１、文字列２２およびコード画像２３等の色を、上述したように、黄色、又は輝度値に基づくグレースケール上の濃度が５０％の灰色に設定している。
【００３０】
本実施形態では、上記のように、梱包箱１の外面には、トナーコンテナ１００の交換方法に関する情報を提供するウェブサイトのインターネットアドレスが暗号化された２次元コードからなるコード画像２３が印刷されている。これにより、携帯端末（スマートフォン、タブレットパソコン等）でコード画像２３を読み取ることによって、携帯端末の画面にトナーコンテナ１００の交換方法を表示させることができる。このため、従来のように折り目のついた取扱説明書を読む場合と異なり、トナーコンテナ１００の交換方法を容易に確認することができる。また、暗い場所であっても、トナーコンテナ１００の交換方法を容易に確認することができる。その結果、トナーコンテナ１００の交換作業性を向上させることができる。
【００３１】
また、上記のように、コード画像２３は、梱包箱１の上面部２に印刷されている。これにより、ユーザー等はコード画像２３の存在を認識しやすくなる。
【００３２】
また、上記のように、梱包箱１の外面は、白色であり、ロゴマーク２１、文字列２２およびコード画像２３等は、黒色以外の色に印刷されている。これにより、梱包箱１の太陽光吸収率を抑えることができるので、梱包箱１の内部温度の上昇を抑えることができる。このため、トナーコンテナ１００内でトナーが固着するのを抑制することができる。
【００３３】
また、上記のように、コード画像２３は、モニター画面上の濃度が５０％以上１００％未満であり、コード画像２３の面積および色は、内部温度が５０℃以下になるように設定されている。これにより、携帯端末によるコード画像２３の読取エラーの発生を抑制しながら、トナーコンテナ１００内でトナーが固着するのを確実に抑制することができる。
【００３４】
次に、ロゴマーク２１、文字列２２およびコード画像２３等の面積率および色を上記のように設定することにより梱包箱１の内部温度が５０℃以下になることを確認する方法について説明する。ここでは、梱包箱１の外面の日射受熱量の合計に基づいて熱回路網法によって確認する。
【００３５】
上記表１に示したように、上面部２、右側面部４、左側面部５、一端面部６および他端面部７における各色（黄色、黒色、灰色、白色）の面積率は、それぞれ（１．８％、０．０％、４．８％、９３．３％）、（２．７％、０．０％、１４．５％、８２．８％）、（１５．７％、０．０％、１．５％、８２．８％）、（１１．０％、０．０％、１．５％、８７．４％）、（１１．０％、０．０％、１．５％、８７．４％）である。
【００３６】
また、表２に示すように、黄色、黒色、灰色および白色の各色の太陽光吸収率は、それぞれ約５０％、約１００％、約５０％および約３０％である。なお、灰色のモニター画面上の濃度を５０％としている。
【００３７】
【表２】
2020090294.tif 000004
【００３８】
上面部２、右側面部４、左側面部５、一端面部６および他端面部７の各面の太陽光吸収率（各色の面積率×各色の太陽光吸収率の合計）は、表３に示すように、それぞれ約３１％、約３３％、約３３％、約３３％および約３３％である。
【００３９】
【表３】
2020090294.tif 000005
【００４０】
次に、上面部２、右側面部４、左側面部５、一端面部６および他端面部７の各面の日射受熱量を下記の式（１）により算出する。
各面の日射受熱量［Ｗ］＝各面の日射量［Ｗ／ｍ2］×各面の面積［ｍ2］×各面の太陽光吸収率［％］・・・（１）
【００４１】
なお、梱包箱１の外形寸法は、横８０ｍｍ×奥行６２０ｍｍ×高さ８０ｍｍであるため、上面部２、右側面部４および左側面部５の面積は、約０．０５０［ｍ2］であり、一端面部６および他端面部７の面積は、約０．００６４［ｍ2］である。
【００４２】
そして、大阪における８月３０日午前１０時の基準値（気象庁データ）を用いて、一端面部６を南方向に向けて梱包箱１を配置した状態における上面部２、右側面部４、左側面部５、一端面部６および他端面部７の各面の日射受熱量［Ｗ］を上記式（１）により算出した。その結果を表４に示す。
【００４３】
【表４】
2020090294.tif 000006
【００４４】
表４に示すように、上面部２、右側面部４、左側面部５、一端面部６および他端面部７の各面の日射受熱量［Ｗ］は、それぞれ１３．９５［Ｗ］、８．９９［Ｗ］、０．８９［Ｗ］、０．８３［Ｗ］および０．１１［Ｗ］であった。
【００４５】
そして、表４に示した各面の日射受熱量［Ｗ］と、図３に示す熱回路モデルと、を用いて熱回路網法により、各面の温度および梱包箱１の内部温度を算出した。その結果を表５に示す。なお、図３において、ノード４１、４２および４３は、それぞれ面、外気および内気を示す。抵抗４４は、各面間の熱抵抗を示す。抵抗４５は、各面と外気との間の熱抵抗を示し、抵抗４６は、各面と内気との間の熱抵抗を示す。図３では、ノード４１を３個だけしか示していないが、ノード４１は６個あり、抵抗４６も６個ある。
【００４６】
【表５】
2020090294.tif 000007
【００４７】
表５に示すように、上面部２、右側面部４、左側面部５、一端面部６および他端面部７の各面の温度は、５１．４℃、４７．１℃、３９．６℃、４４．８℃、３９．２℃となり、梱包箱１の内部温度は、４４．５℃となった。
【００４８】
以上のように、ロゴマーク２１、文字列２２およびコード画像２３等の面積および色を上記のように設定することにより梱包箱１の内部温度が５０℃以下になることを確認できた。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
例えば、上記実施形態では、コード画像２３のモニター画面上の濃度を５０％にする例について示したが、本発明はこれに限らない。コード画像２３のモニター画面上の濃度を、例えば６０％、７０％または８０％等にしてもよい。ただし、濃度を高くするほど太陽光吸収率が高くなり、梱包箱１の内部温度が上昇しやすくなるので、コード画像２３のモニター画面上の濃度は７０％程度以下にすることが好ましい。
【符号の説明】
【００５１】
１  梱包箱
２  上面部（上面）
２１  ロゴマーク（第２画像）
２２  文字列（第２画像）
２３  コード画像（第１画像）
１００  トナーコンテナ
【図１】
2020090294.tif 000008
【図２】
2020090294.tif 000009
【図３】
2020090294.tif 000010